【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第1のワイヤレス通信デバイスによって、マルチホップワイヤレスネットワークの複数のワイヤレス通信デバイスと通信するための1つまたは複数の送信フレーム構成を決定するステップであって、前記1つまたは複数の送信フレーム構成の各々は、少なくとも、第1の送信ギャップ期間または第1のサイクリックプレフィックス(CP)タイプを含む、ステップと、
前記第1のワイヤレス通信デバイスによって、前記1つまたは複数の送信フレーム構成に基づき、前記複数のワイヤレス通信デバイスと通信信号を通信するステップであって、前記通信信号の少なくとも第1の通信信号がバックホールデータを含む、ステップと、
前記第1のワイヤレス通信デバイスによって、前記複数のワイヤレス通信デバイスの能力パラメータ、前記複数のワイヤレス通信デバイスの送信受信切替え要件、前記複数のワイヤレス通信デバイスの同期基準切替え要件、または前記複数のワイヤレス通信デバイスの同期基準のうちの少なくとも一つに基づき、前記第1のCPタイプから前記第2のCPタイプに切り替えるステップであって、前記第1のCPタイプおよび第2のCPタイプが異なるCP長を含む、ステップと、
を含み、
前記通信信号を通信するステップが、
前記第1のワイヤレス通信デバイスによって、前記第1のCPタイプに基づき前記複数のワイヤレス通信デバイスの第2のワイヤレス通信デバイスと前記第1の通信信号を通信するステップ、および、
前記第1のワイヤレス通信デバイスによって、前記第2のCPタイプに基づき前記第2のワイヤレス通信デバイスと前記通信信号のうちの第2の通信信号を通信するステップ、
を含む、方法。
【請求項２】
前記第2の通信信号が、アクセスデータを含む、請求項1に記載の方法。
【請求項３】
前記決定するステップが、
前記第1のワイヤレス通信デバイスによって、前記ワイヤレス通信デバイスのうちの前記第2のワイヤレス通信デバイスの能力パラメータ、前記第2のワイヤレス通信デバイスのスケジューリング情報、前記第2のワイヤレス通信デバイスの送信受信切替え要件、または前記第2のワイヤレス通信デバイスの同期基準切替え要件のうちの少なくとも1つに基づき、前記第1の送信ギャップ期間を決定するステップを含み、
前記通信するステップが、
前記第1のワイヤレス通信デバイスによって、前記第1の送信ギャップ期間に基づき前記第2のワイヤレス通信デバイスと前記第1の通信信号を通信するステップを含む、
請求項1に記載の方法。
【請求項４】
前記第1のワイヤレス通信デバイスによって、前記第1の送信ギャップ期間を示す送信フレーム構成を含むメッセージを前記第2のワイヤレス通信デバイスに送信するステップをさらに含む、
請求項3に記載の方法。
【請求項５】
前記決定するステップが、
前記第1のワイヤレス通信デバイスによって、前記複数のワイヤレス通信デバイスのうちの第3のワイヤレス通信デバイスの能力パラメータ、前記第3のワイヤレス通信デバイスのスケジューリング情報、前記第3のワイヤレス通信デバイスの送信受信切替え要件、または前記第3のワイヤレス通信デバイスの同期基準切替え要件のうちの少なくとも1つに基づき、第2の送信ギャップ期間を決定するステップであって、前記第2の送信ギャップ期間が前記第1の送信ギャップ期間と異なる、ステップを含み、
前記通信するステップが、
前記第1のワイヤレス通信デバイスによって、前記第2の送信ギャップ期間に基づき前記第3のワイヤレス通信デバイスと前記通信信号のうちの第2の通信信号を通信するステップを含む、
請求項3に記載の方法。
【請求項６】
ワイヤレス通信デバイスの方法であって、
中央エンティティによって、マルチホップワイヤレスネットワークの複数のワイヤレス通信デバイスの第1のワイヤレス通信デバイスのための1つまたは複数の送信フレーム構成を決定するステップであって、前記1つまたは複数の送信フレーム構成が、第1の送信ギャップ期間または第1のサイクリックプレフィックス(CP)タイプのうちの少なくとも1つを含む、ステップと、
前記中央エンティティによって、前記1つまたは複数の送信フレーム構成に基づき、前記複数のワイヤレス通信デバイスのうちの1つまたは複数の他のワイヤレス通信デバイスと通信信号を通信するように前記第1のワイヤレス通信デバイスに命令するメッセージを送信するステップであって、前記通信信号の少なくとも第1の通信信号がバックホールデータを含む、ステップと、
前記中央エンティティによって、少なくとも前記複数のワイヤレス通信デバイスから前記中央エンティティによって受信された1つまたは複数の能力要件パラメータに基づき、、前記第1のCPタイプから第2のCPタイプに切り替えることを決定するステップであって、前記第1のCPタイプおよび前記第2のCPタイプが異なるCP長を含む、ステップと、
前記送信するステップが、
前記中央エンティティによって、前記第1のCPタイプを示す第1のメッセージを前記第１のワイヤレス通信デバイスに送信するステップと、
を含み、
前記中央エンティティによって、前記第1のCPタイプから第2のCPタイプに切り替えるように前記第1のワイヤレス通信デバイスに命令する第2のメッセージを前記第1のワイヤレス通信デバイスに送信するステップと、を含む、
方法。
【請求項７】
前記第1のCPタイプから第2のCPタイプに切り替えることを決定することが、前記複数のワイヤレス通信デバイスから前記中央エンティティによって受信された1つまたは複数の同期基準に少なくとも部分的に基づく、
請求項6に記載の方法。
【請求項８】
装置であって、
マルチホップワイヤレスネットワークの複数のワイヤレス通信デバイスと通信するための1つまたは複数の送信フレーム構成を決定するように構成されたプロセッサであって、前記1つまたは複数の送信フレーム構成の各々は、少なくとも、第1の送信ギャップ期間または第1のサイクリックプレフィックス(CP)タイプを含む、プロセッサと、
前記1つまたは複数の送信フレーム構成に基づき、前記複数のワイヤレス通信デバイスと通信信号を通信するように構成されたトランシーバであって、前記通信信号の少なくとも第1の通信信号がバックホールデータを含む、トランシーバと、
を備え、
前記プロセッサが、
前記複数のワイヤレス通信デバイスの能力パラメータ、前記複数のワイヤレス通信デバイスの送信受信切替え要件、前記複数のワイヤレス通信デバイスの同期基準切替え要件、または前記複数のワイヤレス通信デバイスの同期基準のうちの少なくとも一つに基づき、前記第1のCPタイプから前記第2のCPタイプに切り替えるようにさらに構成され、前記第1のCPタイプおよび第2のCPタイプが異なるCP長を含み、
前記トランシーバが、
前記第1のCPタイプに基づき、前記複数のワイヤレス通信デバイスのうちの第1のワイヤレス通信デバイスと前記第1の通信信号を通信し、
前記第2のCPタイプに基づき、前記第1のワイヤレス通信デバイスと前記通信信号のうちの第2の通信信号を通信することによって、前記通信信号を通信するようにさらに構成された、装置。
【請求項９】
前記第2の通信信号が、アクセスデータを含む、請求項8に記載の装置。
【請求項１０】
前記プロセッサが、
前記ワイヤレス通信デバイスのうちの第1のワイヤレス通信デバイスの能力パラメータ、前記第1のワイヤレス通信デバイスのスケジューリング情報、前記第1のワイヤレス通信デバイスの送信受信切替え要件、または前記第1のワイヤレス通信デバイスの同期基準切替え要件のうちの少なくとも1つに基づき、前記第1の送信ギャップ期間を決定することによって、前記1つまたは複数の送信フレーム構成を決定するようにさらに構成され、
前記トランシーバが、
前記第1の送信ギャップ期間に基づき、前記第1のワイヤレス通信デバイスと前記第1の通信信号を通信することにより、前記通信信号を通信するようにさらに構成された、
請求項8に記載の装置。
【請求項１１】
前記トランシーバが、
前記第1の送信ギャップ期間を示す送信フレーム構成を含むメッセージを前記第1のワイヤレス通信デバイスに送信するようにさらに構成された、
請求項10に記載の装置。
【請求項１２】
前記プロセッサが、
前記複数のワイヤレス通信デバイスのうちの第2のワイヤレス通信デバイスの能力パラメータ、前記第2のワイヤレス通信デバイスのスケジューリング情報、前記第2のワイヤレス通信デバイスの送信受信切替え要件、または前記第2のワイヤレス通信デバイスの同期基準切替え要件のうちの少なくとも1つに基づき、第2の送信ギャップ期間を決定することであって、前記第2の送信ギャップ期間が前記第1の送信ギャップ期間と異なる、決定することにより、前記1つまたは複数の送信フレーム構成を決定するようにさらに構成され、
前記トランシーバが、
前記第2の送信ギャップ期間に基づき、前記第2のワイヤレス通信デバイスと前記通信信号のうちの第2の通信信号を通信することにより、前記通信信号を通信するようにさらに構成された、
請求項10に記載の装置。
【請求項１３】
装置であって、
マルチホップワイヤレスネットワークの複数のワイヤレス通信デバイスの第1のワイヤレス通信デバイスのための1つまたは複数の送信フレーム構成を決定するように構成されたプロセッサであって、前記1つまたは複数の送信フレーム構成が、第1の送信ギャップ期間または第1のサイクリックプレフィックス(CP)タイプのうちの少なくとも1つを含む、プロセッサと、
前記1つまたは複数の送信フレーム構成に基づき、前記複数のワイヤレス通信デバイスのうちの1つまたは複数の他のワイヤレス通信デバイスと通信信号を通信するように前記第1のワイヤレス通信デバイスに命令するメッセージを送信するように構成されたトランシーバであって、前記通信信号の少なくとも第1の通信信号がバックホールデータを含む、トランシーバと
を備え、
前記プロセッサが、少なくとも前記複数のワイヤレス通信デバイスから前記装置によって受信された1つまたは複数の能力要件パラメータに基づき、前記第1のCPタイプから第2のCPタイプに切り替えることを決定するようにさらに構成され、
前記第1のCPタイプおよび前記第2のCPタイプが異なるCP長を含み、
前記メッセージが、前記第1のCPタイプから前記第2のCPタイプに切り替えるように前記第1のワイヤレス通信デバイスを指示する命令を含む、
装置。
【請求項１４】
前記プロセッサが、前記複数のワイヤレス通信デバイスから前記装置により受信した1つまたは複数の同期基準に少なくとも部分的に基づき、前記第1のCPタイプから第2のCPタイプに切り替えることを決定するようにさらに構成された、
請求項13に記載の装置。
【請求項１５】
実行されたときに、コンピュータに、請求項1から7のうちのいずれか一項に記載の方法を実行させる命令を含む、コンピュータプログラム。